【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
被撮影物体の認識方法であって、
撮影命令の受信に応じて、端末の撮影装置をアクティブ化して被撮影物体をオートフォーカスすることと、
前記撮影装置が前記被撮影物体にフォーカスすることに成功した後、前記撮影装置のフォーカス後焦点距離を取得することと、
前記被撮影物体の物体種別が写真であるかどうかを前記フォーカス後焦点距離に基づいて判定することとを含む、前記認識方法。
【請求項２】
前記被撮影物体の前記物体種別が写真であるかどうかを前記フォーカス後焦点距離に基づいて判定することが、
前記撮影装置と前記被撮影物体の距離が予め設定された閾値未満であるかどうかを前記フォーカス後焦点距離に基づいて判定することであって、前記予め設定された閾値は撮影装置が生体物体をキャプチャするのに必要な最小距離を表すのに用いられるものであり、前記物体種別は生体物体及び写真を含むものである、前記判定することと、
前記撮影装置と前記被撮影物体の前記距離が前記予め設定された閾値未満である場合、前記被撮影物体の前記物体種別は写真であると判定することとを含む、請求項１に記載の認識方法。
【請求項３】
前記被撮影物体の前記物体種別が写真であるかどうかを前記フォーカス後焦点距離に基づいて判定することが、
前記撮影装置と前記被撮影物体の距離が予め設定された閾値未満であるかどうかを前記フォーカス後焦点距離に基づいて判定することであって、前記予め設定された閾値は前記撮影装置が生体物体をキャプチャするのに必要な最小距離であり、前記物体種別は生体物体及び写真を含むものである、前記判定することと、
前記撮影装置と前記被撮影物体の前記距離が予め設定された閾値未満である場合、前記撮影命令にしたがって生成された前記被撮影物体の画像データを取得することと、予め取得された改変された写真の特徴（複数可）が前記画像データに存在するかどうかを検出することと、
予め取得された改変された写真の特徴（複数可）が前記画像データに存在する場合、前記被撮影物体の前記物体種別は写真であると判定することとを含む、請求項１に記載の認識方法。
【請求項４】
前記撮影装置と前記被撮影物体の前記距離が前記予め設定された閾値未満であるかどうかを前記フォーカス後焦点距離に基づいて判定することが、
前記フォーカス後焦点距離が前記撮影装置の指定されたズーム範囲内にあるかどうかを判定することであって、前記指定されたズーム範囲は前記予め設定された閾値に対応するものである、前記判定することと、
前記フォーカス後焦点距離が前記撮影装置の前記指定されたズーム範囲内にある場合、前記撮影装置と前記被撮影物体の前記距離が前記予め設定された閾値未満であると判定することとを含む、請求項２または３に記載の認識方法。
【請求項５】
前記端末の前記撮影装置をアクティブ化して前記被撮影物体をオートフォーカスすることが、
前記撮影命令の受信に応じて、前記端末の前記撮影装置を初期化することと、
前記撮影装置の初期化後、前記端末の前記撮影装置がオートフォーカスモードをサポートしているかどうかを検出することと、
前記端末の前記撮影装置が前記オートフォーカスモードをサポートしていることが検出された場合、前記撮影装置が前記被撮影物体に自動的にフォーカスするように前記撮影装置の前記オートフォーカスモードをアクティブ化することとを含む、請求項１〜４のいずれか１項に記載の認識方法。
【請求項６】
前記端末の前記撮影装置が前記オートフォーカスモードをサポートしているかどうかを検出することが、
前記撮影装置のフォーカスモードリストを呼び出すことと、
前記オートフォーカスモードの識別情報が前記フォーカスモードリストに存在する場合、前記端末の前記撮影装置がオートフォーカスモードをサポートしていると検出することとを含む、請求項５に記載の認識方法。
【請求項７】
被撮影物体の認識装置であって、
撮影命令の受信に応じて、端末の撮影装置を起動して被撮影物体をオートフォーカスするように構成されたアクティベーションモジュールと、
前記撮影装置が前記被撮影物体にフォーカスすることに成功した後、前記撮影装置のフォーカス後焦点距離を取得するように構成された取得モジュールと、
前記被撮影物体の物体種別が写真であるかどうかを前記フォーカス後焦点距離に基づいて判定するように構成された判定モジュールとを備える、前記認識装置。
【請求項８】
前記判定モジュールが、
前記撮影装置と前記被撮影物体の距離が予め設定された閾値未満であるかどうかを前記フォーカス後焦点距離に基づいて判定するように構成された判定サブモジュールであって、前記予め設定された閾値は撮影装置が生体物体をキャプチャするのに必要な最小距離を表すのに用いられるものであり、前記物体種別は生体物体及び写真を含むものである、前記判定サブモジュールと、
前記撮影装置と前記被撮影物体の前記距離が前記予め設定された閾値未満である場合、前記被撮影物体の前記物体種別が写真であると判定するように構成された第１の判定サブモジュールとを備える、請求項７に記載の認識装置。
【請求項９】
前記判定モジュールが、
前記撮影装置と前記被撮影物体の距離が予め設定された閾値未満であるかどうかを前記フォーカス後焦点距離に基づいて判定するように構成された判定サブモジュールであって、前記予め設定された閾値は前記撮影装置が生体物体をキャプチャするのに必要な最小距離であり、前記物体種別は生体物体及び写真を含むものである、前記判定サブモジュールと、
前記撮影装置と前記被撮影物体の前記距離が予め設定された閾値未満である場合、前記撮影命令にしたがって生成された前記被撮影物体の画像データを取得するように構成された取得サブモジュールと、
予め取得された改変された写真の特徴（複数可）が前記画像データに存在するかどうかを検出するように構成された第１の検出サブモジュールと、
予め取得された改変された写真の特徴（複数可）が前記画像データに存在する場合、前記被撮影物体の前記物体種別が写真であると判定するように構成された第２の判定サブモジュールとを備える、請求項８に記載の認識装置。
【請求項１０】
前記判定サブモジュールが、
前記フォーカス後焦点距離が前記撮影装置の指定されたズーム範囲内にあるかどうかを判定するように構成された焦点距離判定サブモジュールであって、前記指定されたズーム範囲は前記予め設定された閾値に対応するものである、前記焦点距離判定サブモジュールと、
前記フォーカス後焦点距離が前記撮影装置の前記指定されたズーム範囲内にある場合、前記撮影装置と前記被撮影物体の前記距離が前記予め設定された閾値未満であると判定するように構成された第３の判定サブモジュールとを備える、請求項８または９に記載の認識装置。
【請求項１１】
前記アクティベーションモジュールが、
前記撮影命令の受信に応じて、前記端末の前記撮影装置を初期化するように構成された初期化サブモジュールと、
前記撮影装置の初期化後、前記端末の前記撮影装置がオートフォーカスモードをサポートしているかどうかを検出するように構成された第２の検出サブモジュールと、
前記端末の前記撮影装置が前記オートフォーカスモードをサポートしていることが検出された場合、前記撮影装置が前記被撮影物体に自動的にフォーカスするように前記撮影装置の前記オートフォーカスモードをアクティブ化するように構成されたアクティベーションサブモジュールとを備える、請求項７〜１０のいずれか１項に記載の認識装置。
【請求項１２】
前記第２の検出サブモジュールが、
前記撮影装置のフォーカスモードリストを呼び出すように構成された呼び出しサブモジュールと、
オートフォーカスモードの識別情報が前記フォーカスモードリストに存在する場合、前記端末の前記撮影装置が前記オートフォーカスモードをサポートしていると検出するように構成された識別情報検出サブモジュールとを備える、請求項１１に記載の認識装置。
【請求項１３】
請求項７〜１２のいずれか１項に記載の前記被撮影物体の前記認識装置を備える携帯端末。
【請求項１４】
請求項７〜１２のいずれか１項に記載の前記被撮影物体の前記認識装置を備えるカメラ。
【手続補正２】
【補正対象書類名】明細書
【補正対象項目名】００２２
【補正方法】変更
【補正の内容】
【００２２】
本出願の第１の実施形態に提供された方法の実施形態は、携帯端末、コンピュータ端末または類似のコンピューティング装置で実行され得る。コンピュータ端末上での実行が例として用いられる。図３は、本出願の実施形態による、被撮影物体を認識する方法にしたがったコンピュータ端末の構造ブロック図である。図３に示すように、コンピュータ端末３０は、１つまたは複数の（１つのみを図に示す）プロセッサ３０２（プロセッサ３０２は、以下に限定するものではないが、マイクロプロセッサＭＣＵまたはプログラマブルロジックデバイスＦＰＧＡなどの処理装置を含み得る）、データを格納するのに用いられるメモリ３０４、及び通信機能のために用いられる送信装置３０６を含み得る。当業者は、図３に示す構造は単なる例であり、上記の電子装置の構造を限定するものではないことを理解することができる。例えば、コンピュータ端末３０はまた、図３に示すものよりも多いあるいは少ない構成要素を含んでもよく、または、図３に示すものと異なる構成を有してもよい。
【手続補正３】
【補正対象書類名】明細書
【補正対象項目名】００８１
【補正方法】変更
【補正の内容】
【００８１】
具体的には、判定方法として、Ｃａｍｅｒａ．Ｐａｒａｍｅｔｅｒｓ．Ｇｅｔ  Ｓｕｐｐｏｒｔｅｄ  Ｆｏｃｕｓ  Ｍｏｄｅｓ（）を呼び出す。このメソッドは、表１に示すような６つのフォーカスモードの少なくとも１つを含み得るリスト（すなわち上述のようなフォーカスモードリスト）を戻す。
【手続補正４】
【補正対象書類名】明細書
【補正対象項目名】００８５
【補正方法】変更
【補正の内容】
【００８５】
具体的には、携帯電話のオートフォーカスモードが起動されると、まず携帯電話のカメラのフォーカスモードパラメータがＦＯＣＵＳ＿ＭＯＤＥ＿ＡＵＴＯに設定され、呼び出されるメソッドはＣａｍｅｒａ．Ｐａｒａｍｅｔｅｒｓ．Ｓｅｔ  Ｆｏｃｕｓ  Ｍｏｄｅ（ＦＯＣＵＳ＿ＭＯＤＥ＿ＡＵＴＯ）となり、次いで、オートフォーカス（ｃｂ）が呼び出されて、オートフォーカスを開始する。次いで、コールバック関数ｃｂは登録され、システムは、フォーカスに成功後、このコールバック関数を呼び出す。
【手続補正５】
【補正対象書類名】明細書
【補正対象項目名】００９０
【補正方法】変更
【補正の内容】
【００９０】
具体的には、ユーザが写真を撮影する必要があるとき、ユーザはキャプチャ開始ボタンをクリックして携帯電話アプリケーションで携帯電話のカメラを開き、Ｃａｍｅｒａ．ｏｐｅｎ（）を呼び出すことによってカメラを初期化する。カメラの初期化に成功すると、電話がオートフォーカスモードをサポートしているかどうかに関して判定がなされる。判定方法として、Ｃａｍｅｒａ．Ｐａｒａｍｅｔｅｒｓ．Ｇｅｔ  Ｓｕｐｐｏｒｔｅｄ  Ｆｏｃｕｓ  Ｍｏｄｅｓ（）を呼び出す。このメソッドは、リスト（すなわち上述のようなフォーカスモードリスト）を戻す。戻されたフォーカスモードリストが、ＦＯＣＵＳ＿ＭＯＤＥ＿ＡＵＴＯまたはＦＯＣＵＳ＿ＭＯＤＥ＿ＭＡＣＲＯ（すなわち、上述のようなオートフォーカスモードの識別情報）を含むとき、このことは、携帯電話がオートフォーカスモードをサポートしていることを表す。携帯電話がオートフォーカスモードをサポートしているとき、携帯電話のオートフォーカスモードはアクティブ化され、携帯電話のカメラのフォーカスモードパラメータはＦＯＣＵＳ＿ＭＯＤＥ＿ＡＵＴＯとして設定され、呼び出しメソッドはＣａｍｅｒａ.Ｐａｒａｍｅｔｅｒｓ．Ｓｅｔ  Ｆｏｃｕｓ  Ｍｏｄｅ（ＦＯＣＵＳ＿ＭＯＤＥ＿ＡＵＴＯ）となる。フォーカスに成功すると、システムは自動的にコールバック関数ｃｂを呼び出して、フォーカス後焦点距離を戻す。
【手続補正６】
【補正対象書類名】明細書
【補正対象項目名】０１１９
【補正方法】変更
【補正の内容】
【０１１９】
具体的には、ユーザが写真を撮影する必要があるとき、ユーザはキャプチャ開始ボタンをクリックして携帯電話のアプリケーションで携帯電話のカメラを開き、Ｃａｍｅｒａ．ｏｐｅｎ（）を呼び出すことによってカメラを初期化する。カメラの初期化に成功すると、電話がオートフォーカスモードをサポートしているかどうかに関して判定がなされる。判定方法として、Ｃａｍｅｒａ．Ｐａｒａｍｅｔｅｒｓ．Ｇｅｔ  Ｓｕｐｐｏｒｔｅｄ  Ｆｏｃｕｓ  Ｍｏｄｅｓ（）を呼び出す。このメソッドは、リスト（すなわち上述のようなフォーカスモードリスト）を戻す。戻されたフォーカスモードリストが、ＦＯＣＵＳ＿ＭＯＤＥ＿ＡＵＴＯまたはＦＯＣＵＳ＿ＭＯＤＥ＿ＭＡＣＲＯ（すなわち、上述のようなオートフォーカスモードの識別情報）を含むとき、このことは、携帯電話がオートフォーカスモードをサポートしていることを表す。携帯電話がオートフォーカスモードをサポートしているとき、携帯電話のオートフォーカスモードはアクティブ化され、携帯電話のカメラのフォーカスモードパラメータはＦＯＣＵＳ＿ＭＯＤＥ＿ＡＵＴＯとして設定され、呼び出しメソッドはＣａｍｅｒａ.Ｐａｒａｍｅｔｅｒｓ．Ｓｅｔ  Ｆｏｃｕｓ  Ｍｏｄｅ（ＦＯＣＵＳ＿ＭＯＤＥ＿ＡＵＴＯ）となる。フォーカスに成功すると、システムは自動的にコールバック関数ｃｂを呼び出して、フォーカス後焦点距離を戻す。